(57)【要約】【課題】着信転送をユーザによる手操作を要することなくユーザの移動先変更に柔軟に対応して行えるようにする。【解決手段】主装置２において、電話端末Ｔ１２宛ての着信呼が到来し、この電話端末Ｔ１２に対する着信が不可能な場合に、スケジュール情報取得部にて該電話端末Ｔ１２のユーザについての一定期間分のスケジュール情報をサーバ装置３から取得する。続いて着信転送制御部にて発信元から通知される発信者情報に対応する重要度を発信者・重要度対応テーブルから読み出すとともに、スケジュール情報中の転送先に対応する重要度を転送先・重要度対応テーブルから読み出し、これら重要度をもとに着信転送の許可の有無を判定し、許可されている場合に転送先となる電話端末Ｔ２１に上記着信呼を着信させる。【選択図】    図１
2004357217.tif 000002
【特許請求の範囲】
【請求項１】
複数の電話端末を接続するとともに、少なくとも１つの網に接続可能であり、１つの電話端末に着信する呼を別の電話端末に対して転送可能な電話交換装置であって、
前記複数の電話端末のうち少なくとも一部の電話端末のユーザについて、一定期間分のユーザの移動先を表す移動先情報と、各移動先にて着信させるべく第１の電話端末を表す転送先情報とを含むスケジュール情報を選択的に取得するスケジュール情報取得手段と、
発信元の電話端末を表す発信者情報に対応付けて、呼転送に関する重要度を表す重要度情報を格納する第１の記憶手段と、
着信発生時に、着信先となる第２の電話端末に対する着信制御が不可能な場合に、前記スケジュール情報取得手段に第２の電話端末のユーザについてのスケジュール情報を取得させ、このスケジュール情報及び前記第１の記憶手段に記憶された発信者情報に対応する重要度情報に基づいて、転送先となる第１の電話端末に対し着信制御を行う着信転送制御手段とを具備したことを特徴とする電話交換装置。
【請求項２】
さらに、前記スケジュール情報を管理するサーバ装置と接続するための第１のインタフェースを備え、
前記スケジュール情報取得手段は、前記第１のインタフェースを通じて前記サーバ装置との通信により前記スケジュール情報を取得することを特徴とする請求項１記載の電話交換装置。
【請求項３】
さらに、前記転送先情報に対応付けて、着信に関する重要度を表す重要度情報を格納する第２の記憶手段を備え、
前記着信転送制御手段は、前記第２の電話端末に対する着信制御が不可能な場合に、前記第１の記憶手段に記憶された発信者情報に対応する重要度情報と、前記第２の記憶手段に記憶された転送先情報に対応する重要度情報とを比較し、この比較結果に基づいて転送先となる第１の電話端末に対し着信制御を行うことを特徴とする請求項１記載の電話交換装置。
【請求項４】
前記着信転送制御手段は、前記スケジュール情報に示される転送先の第１の電話端末とは異なる第３の電話端末にて前記第２の電話端末宛ての着信呼を受けるための指示入力がなされた場合に、前記第２の電話端末宛ての着信呼が到来した際に、この着信呼を転送先となる第３の電話端末に転送して着信させることを特徴とする請求項１記載の電話交換装置。
【請求項５】
前記着信転送制御手段は、前記スケジュール情報に示される転送先の第１の電話端末とは異なる第３の電話端末に対し着信転送設定がなされた場合に、前記第２の電話端末宛ての着信呼が到来した際に、この着信呼を転送先となる第３の電話端末に転送して着信させることを特徴とする請求項１記載の電話交換装置。
【請求項６】
前記着信転送制御手段は、前記第２の電話端末に対する着信制御が不可能な場合に、発信元のユーザに対し着信先が不在の旨を提示して前記第１の電話端末に対する呼出指示入力を促し、この提示に対し発信元のユーザが呼出指示を入力した場合に、前記スケジュール情報及び前記第１の記憶手段中の発信者情報に対応する重要度情報に基づく着信制御を実行することを特徴とする請求項１記載の電話交換装置。
【請求項７】
さらに、発信元のユーザによる音声をボイスメッセージとして録音することが可能なボイスメール装置と接続するための第２のインタフェースを備え、
前記着信転送制御手段は、前記第２の電話端末宛ての着信呼が到来し、前記第２の電話端末に対する着信制御が不可能な場合に、予め設定される所定の条件に従って、前記第２のインタフェースを通じて転送先となるボイスメール装置に対し着信制御を行うことを特徴とする請求項１記載の電話交換装置。
【請求項８】
前記着信転送制御手段は、所定の条件として、前記第１の記憶手段に記憶されている発信者情報と異なる発信者情報である場合、前記第１の記憶手段に記憶されている発信者情報に対応する重要度が最低である場合、前記スケジュール情報に転送先情報が含まれていない場合、発信元のユーザによる前記ボイスメール装置に対する呼出指示入力のうちのいずれか１つにより前記ボイスメール装置に対し着信制御を行うことを特徴とする請求項７記載の電話交換装置。
【請求項９】
前記第１の電話端末に電子メール送受信機能が備えられているとき、前記着信転送制御手段は、前記第２の電話端末宛ての着信呼が到来し、前記第２の電話端末に対する着信制御が不可能な場合に、該第２の電話端末のユーザによる選択指示に応じて前記第２の電話端末に着信が到来した旨と、発信者情報とを電子メールとして前記第１の電話端末に送信することを特徴とする請求項１記載の電話交換装置。
【請求項１０】
前記着信転送制御手段は、前記第２の電話端末宛ての着信呼が到来し、前記第２の電話端末に対する着信制御が不可能な場合に、該第２の電話端末のユーザによる選択指示に応じて、発信元のユーザに対し着信先が不在の旨のみを報知することを特徴とする請求項１記載の電話交換装置。
【請求項１１】
前記第１の電話端末が前記網に接続される電話端末または携帯用電話端末であるとき、前記着信転送制御手段は、前記第２の電話端末宛ての着信呼が到来し、前記第２の電話端末に対する着信制御が不可能な場合に、前記網に接続される電話端末または携帯型電話端末に対し着信呼を転送することを特徴とする請求項１記載の電話交換装置。
【請求項１２】
通信ネットワークに接続された複数の電話端末と、これら複数の電話端末を通信ネットワークを介して収容し、前記複数の電話端末相互間を接続して通信を行わせる交換装置とを備えた電話交換システムであって、
前記交換装置は、
前記複数の電話端末のうち少なくとも一部の電話端末のユーザについて、一定期間分のユーザの移動先を表す移動先情報と、各移動先にて着信させるべく通信ネットワーク上の第１の電話端末を表す転送先情報とを含むスケジュール情報を選択的に取得するスケジュール情報取得手段と、
発信元の電話端末を表す発信者情報に対応付けて、呼転送に関する重要度を表す重要度情報を格納する第１の記憶手段と、
着信発生時に、着信先となる第２の電話端末に対する着信制御が不可能な場合に、前記スケジュール情報取得手段に第２の電話端末のユーザについてのスケジュール情報を取得させ、このスケジュール情報及び前記第１の記憶手段に記憶された発信者情報に対応する重要度情報に基づいて、転送先となる第１の電話端末に対し着信制御を行う着信転送制御手段とを備えるようにしたことを特徴とする電話交換システム。
【発明の詳細な説明】
【０００１】
【発明の属する技術分野】
この発明は、例えばＰＢＸ（Ｐｒｉｖａｔｅ  Ｂｒａｎｃｈ  Ｅｘｃｈａｎｇｅ）やボタン電話装置に係り、特に１つの電話端末に着信する呼を別の電話端末に対して転送可能な電話交換装置と、この電話交換装置と各電話端末との間を通信ネットワークを介して接続した電話交換システムに関する。
【０００２】
【従来の技術】
周知のように、ＰＢＸやボタン電話装置といった電話交換装置は、各種のサービス機能を備えており、その一つに着信転送機能がある。着信転送機能とは、例えば内線電話機Ａのユーザが自身の内線電話機Ａに着信する呼を他の内線電話機Ｂに対して転送するための転送登録を行うことにより、ユーザの内線電話機Ａに到来する着信呼を内線電話機Ｂに転送できる機能である。
【０００３】
ところで、上記着信転送機能では、内線電話機Ａに到来する着信呼の転送先が内線電話機Ｂに予め登録されているため、例えば内線電話機Ａのユーザが内線電話機Ｂの設置部屋から、内線電話機Ｃのある会議室へ移動するようなことがあると、ユーザは内線電話機Ａの設置場所まで一々足を運んで、内線電話機Ｃを着信転送先に指定する設定登録を行わなければならず、大変不便である。この問題は、１日当たりの移動回数が多くなればなるほど顕著となる。
【０００４】
そこで、電話交換装置に、例えば一週間分のユーザの移動先と、この移動先にて着信させるべく電話機の電話番号とを示すスケジュール情報を登録しておくことにより、例えば内線電話機Ａに到来する着信呼をスケジュール情報に示された移動先の電話機に自動的に転送する交換システムが提案されている（例えば特許文献１乃至特許文献３）。
【０００５】
【特許文献１】
特開２０００−１１５３８０号公報
【０００６】
【特許文献２】
特開平５−２３６１２７号公報
【０００７】
【特許文献３】
特開平１１−３４１０５１号公報。
【０００８】
【発明が解決しようとする課題】
ところが、上記システムでは、種々の発信者からの着信呼が同一の条件でスケジュール情報に示される移動先の電話端末に転送されることになる。従って、例えば特別に応対すべく発信者からの着信呼及び通常の発信者からの着信呼が同一時間帯に集中した場合に、通常の発信者からの着信呼が優先的に転送されることがあり、これにより各発信者に応じたきめ細かな着信転送を行うことが困難であった。
【０００９】
そこで、この発明の目的は、着信転送をユーザによる手操作を要することなくユーザの移動先変更に柔軟に対応して行えるようにし、これによりユーザの利便性を高めることができ、かつ発信者別のきめ細かな着信転送を効率良く行い得る電話交換装置及び電話交換システムを提供することにある。
【００１０】
【課題を解決するための手段】
この発明は、上記目的を達成するために、以下のように構成される。
（１）複数の電話端末を接続するとともに、少なくとも１つの網に接続可能であり、１つの電話端末に着信する呼を別の電話端末に対して転送可能な電話交換装置であって、複数の電話端末のうち少なくとも一部の電話端末のユーザについて、一定期間分のユーザの移動先を表す移動先情報と、各移動先にて着信させるべく第１の電話端末を表す転送先情報とを含むスケジュール情報を選択的に取得するスケジュール情報取得手段と、発信元の電話端末を表す発信者情報に対応付けて、呼転送に関する重要度を表す重要度情報を格納する第１の記憶手段と、着信発生時に、着信先となる第２の電話端末に対する着信制御が不可能な場合に、スケジュール情報取得手段に第２の電話端末のユーザについてのスケジュール情報を取得させ、このスケジュール情報及び第１の記憶手段に記憶された発信者情報に対応する重要度情報に基づいて、転送先となる第１の電話端末に対し着信制御を行う着信転送制御手段とを備えるようにしたものである。
【００１１】
（１）の発明によれば、第２の電話端末宛ての着信呼が到来し、この第２の電話端末に対する着信が不可能な場合に、この第２の電話端末のユーザについてのスケジュール情報、つまり一定期間内における移動予定の転送先情報リストが取得されるとともに、発信元のユーザの重要度が判定され、この重要度に応じて、現時点の転送先となる第１の電話端末がスケジュール情報の中から選択され、この第１の電話端末に上記着信呼が着信されることになる。すなわち、例えば顧客といった重要度の高い発信者からの着信呼及び重要度の低い発信者からの着信呼が同一時間帯に集中したとしても、重要度の高い発信者からの着信呼が優先的に第１の電話端末に転送されることになる。さらに、スケジュール情報中に転送先に対応する重要度が含まれている場合に、その重要度と発信元の重要度とを比較することにより、転送先別に応対すべく発信者を特定することができる。
【００１２】
従って、第２の電話端末のユーザが移動するごとに転送設定を行う必要がなく、予め移動予定の転送先が分かっている場合に、その転送先をスケジュール情報に登録しておき、かつ発信者の重要度も登録しておくだけでよく、これにより発信者別の応対を効率良く行うことができ、ユーザの利便性が大幅に改善される。また、複数の発信者からの着信呼が同一時間帯に集中したとしても、これに比較的柔軟に対応することができる。
【００１３】
（２）さらに、スケジュール情報を管理するサーバ装置と接続するための第１のインタフェースを備え、スケジュール情報取得手段は、第１のインタフェースを通じてサーバ装置との通信によりスケジュール情報を取得することを特徴とする。
（２）の発明によれば、スケジュール情報を管理するサーバ装置との通信により、スケジュール情報を取得することができるので、スケジュール情報を記憶しておくための記録媒体を設けることなく、多数の転送先情報を一度にサーバ装置に登録しておくことができる。
【００１４】
（３）さらに、転送先情報に対応付けて、着信に関する重要度を表す重要度情報を格納する第２の記憶手段を備え、着信転送制御手段は、第２の電話端末に対する着信制御が不可能な場合に、第１の記憶手段に記憶された発信者情報に対応する重要度情報と、第２の記憶手段に記憶された転送先情報に対応する重要度情報とを比較し、この比較結果に基づいて転送先となる第１の電話端末に対し着信制御を行うことを特徴とする。
【００１５】
（３）の発明によれば、第２の電話端末宛ての着信呼が到来し、この第２の電話端末に対する着信が不可能な場合に、転送先ごとに登録してある重要度と発信者の重要度とを比較することで着信呼を転送してよいか否かが判定される。そして、転送してよい場合に、上記着信呼が第１の電話端末に転送される。従って、第２の電話端末のユーザが会議室で会議を行っている際に、重要度の高い特定の発信者からの着信呼が第２の電話端末に到来した場合に、この着信呼を会議室に設置された第１の電話端末に転送して着信させることができ、重要度の低い発信者からの着信呼が第２の電話端末に到来した場合に、この着信呼についての転送を規制することができる。
【００１６】
（４）着信転送制御手段は、スケジュール情報に示される転送先の第１の電話端末とは異なる第３の電話端末にて第２の電話端末宛ての着信呼を受けるための指示入力がなされた場合に、第２の電話端末宛ての着信呼が到来した際に、この着信呼を転送先となる第３の電話端末に転送して着信させることを特徴とする。
【００１７】
（４）の発明によれば、スケジュール上の移動先が急に変更になった場合に、その移動先の第３の電話端末にてユーザが第２の電話端末宛ての着信呼を受けるための指示入力を行うことで、スケジュール情報を更新することなく、第２の電話端末宛ての着信呼を第３の電話端末に転送して着信させることができる。また、第２の電話端末にて第３の電話端末に対する着信転送設定がなされた場合にも、同様にスケジュール情報を更新することなく、第２の電話端末宛ての着信呼を第３の電話端末に転送して着信させることができる。
【００１８】
（５）着信転送制御手段は、第２の電話端末に対する着信制御が不可能な場合に、発信元のユーザに対し着信先が不在の旨を提示して第１の電話端末に対する呼出指示入力を促し、この提示に対し発信元のユーザが呼出指示を入力した場合に、スケジュール情報及び第１の記憶手段中の発信者情報に対応する重要度情報に基づく着信制御を実行することを特徴とする。
【００１９】
（５）の発明によれば、第２の電話端末宛ての着信呼が到来し、第２の電話端末に対する着信制御が不可能な場合に、発信元のユーザに対し着信先が不在の旨が提示されるので、発信元のユーザが自身で第２の電話端末のユーザを呼び出す必要があるか否かを判断して着信転送を指示することができ、これにより必要な場合のみ着信転送を実行することが可能となる。
【００２０】
（６）さらに、発信元のユーザによる音声をボイスメッセージとして録音することが可能なボイスメール装置と接続するための第２のインタフェースを備え、着信転送制御手段は、第２の電話端末宛ての着信呼が到来し、第２の電話端末に対する着信制御が不可能な場合に、予め設定される所定の条件に従って、第２のインタフェースを通じて転送先となるボイスメール装置に対し着信制御を行うことを特徴とする。なお、所定の条件として、第１の記憶手段に記憶されている発信者情報と異なる発信者情報である場合、第１の記憶手段に記憶されている発信者情報に対応する重要度が最低である場合、スケジュール情報に転送先情報が含まれていない場合、発信元のユーザによるボイスメール装置に対する呼出指示入力のうちのいずれか１つを用いる。
【００２１】
（６）の発明によれば、不特定な発信者または重要度が最も低い発信者からの着信呼が第２の電話端末に到来し、第２の電話端末が着信不可能である場合に、この着信呼をボイスメール装置に転送することにより、該発信者からのメッセージを残すことができる。また、休憩時間等のように明確な移動先が登録されていない場合や、転送先が登録されていない場合に、第２の電話端末宛ての着信呼をボイスメール装置に転送することにより、該発信者からのメッセージを残すこともできる。
【００２２】
（７）第１の電話端末に電子メール送受信機能が備えられているとき、着信転送制御手段は、第２の電話端末宛ての着信呼が到来し、第２の電話端末に対する着信制御が不可能な場合に、該第２の電話端末のユーザによる選択指示に応じて第２の電話端末に着信が到来した旨と、発信者情報とを電子メールとして第１の電話端末に送信することを特徴とする。
【００２３】
（７）の発明によれば、移動先において第２の電話端末のユーザが電話に出られない事情がある場合に、第２の電話端末に着信が到来した旨と、発信者情報とを電子メールとして第１の電話端末に送信することで、後で、受信した電子メールに記載されている発信者情報をもとにコールバックを行うことができる。
【００２４】
（８）着信転送制御手段は、第２の電話端末宛ての着信呼が到来し、第２の電話端末に対する着信制御が不可能な場合に、該第２の電話端末のユーザによる選択指示に応じて、発信元のユーザに対し着信先が不在の旨のみを報知することを特徴とする。
（８）の発明によれば、第２の電話端末のユーザが長期不在となる場合に、発信元のユーザに対し着信先が不在の旨のみを報知することができる。また、迷惑電話対策にも非常に有効となる。
【００２５】
（９）第１の電話端末が前記網に接続される電話端末または携帯用電話端末であるとき、着信転送制御手段は、第２の電話端末宛ての着信呼が到来し、第２の電話端末に対する着信制御が不可能な場合に、網に接続される電話端末または携帯型電話端末に対し着信呼を転送することを特徴とする。
（９）の発明によれば、如何なる移動先や如何なるタイプの第１の電話端末であっても、第２の電話端末宛ての着信呼を第１の電話端末に転送することができる。
【００２６】
【発明の実施の形態】
以下、この発明の実施形態について図面を参照して詳細に説明する。
図１は、この発明に係わるネットワーク電話システムの一実施形態を示す概略構成図である。
このシステムは、ＬＡＮ（Ｌｏｃａｌ  Ａｒｅａ  Ｎｅｔｗｏｒｋ）１を有する。このＬＡＮ１には、複数の電話端末Ｔ１１〜Ｔ１ｉ（ｉは自然数），Ｔ２１が接続されている。また、ＬＡＮ１には、主装置２、サーバ装置３及びルータＲＴが接続されている。主装置２は、ＬＡＮ１上に接続された複数の電話端末Ｔ１１〜Ｔ１ｉ，Ｔ２１相互間の接続や、複数の電話端末Ｔ１１〜Ｔ１ｉ，Ｔ２１とルータＲＴとの間を接続するものである。サーバ装置３は、例えば複数の電話端末Ｔ１１〜Ｔ１ｉの各ユーザについてのスケジュール情報を管理するものである。ルータＲＴは、ＬＡＮ１と公衆網ＮＷとの間を接続するもので、ＬＡＮ１と公衆網ＮＷとの間における通信プロトコル及び信号フォーマットの変換機能を備えている。
【００２７】
さらに、主装置２には、音声によるボイスメッセージを録音し、再生指示入力に応じて録音されたボイスメッセージを各電話端末Ｔ１１〜Ｔ１ｉ，Ｔ２１にて聴取することが可能なボイスメール装置４が接続される。
【００２８】
上記主装置２は、この発明に係わる機能として次のような機能を有している。図２はその構成を示すブロック図である。
すなわち、主装置２は、ボイスメールインタフェース（Ｉ／Ｆ）部２１と、ＬＡＮインタフェース（Ｉ／Ｆ）部２２と、音声処理部２３と、制御部２４と、記憶部２５とを備えている。これらボイスメールインタフェース部２１、ＬＡＮインタフェース部２２、音声処理部２３、制御部２４及び記憶部２５は、データハイウェイ２６を介して互いに接続されている。
また、ボイスメールインタフェース部２１、ＬＡＮインタフェース部２２及び音声処理部２３は、ＰＣＭハイウェイ２７を介して互いに接続されている。
【００２９】
ボイスメールインタフェース部２１には、ボイスメール装置４が必要に応じて接続される。ボイスメールインタフェース部２１は、接続されたボイスメール装置４とＰＣＭハイウェイ２７との間でインタフェース処理を行なう。また、ボイスメールインタフェース部２１は、上記インタフェース処理に係わる種々の制御情報の授受を、データハイウェイ２６を介して制御部２４との間で行う。
【００３０】
ＬＡＮインタフェース部２２には、ＬＡＮ１が必要に応じて接続される。ＬＡＮインタフェース部２２は、接続されたＬＡＮ１とＰＣＭハイウェイ２７との間でインタフェース処理を行なう。また、ＬＡＮインタフェース部２２は、上記インタフェース処理に係わる種々の制御情報の授受を、データハイウェイ２６を介して制御部２４との間で行う。
【００３１】
音声処理部２３は、ＬＡＮ１から受信した音声パケットをボイスメール装置４で取り扱い可能な音声信号に変換してボイスメール装置４へ送信する機能を有する。
制御部２４は、ＣＰＵ、ＲＯＭ、ＲＡＭなどを有して構成され、ソフトウェア処理により主装置２の各部の制御を行う。
【００３２】
記憶部２５は、制御部２４の接続制御に必要なルーティング情報等を格納しており、さらに発信者・重要度対応テーブル２５１と、転送先・重要度対応テーブル２５２とを格納している。このうち発信者・重要度対応テーブル２５１は、例えば図４に示すように、発信者情報と、この発信者情報ごとの重要度との対応関係を記憶したものである。
転送先・重要度対応テーブル２５２は、例えば図５に示すように、転送先情報と、この転送先情報ごとの重要度との対応関係を記憶したものである。
【００３３】
これに対し、制御部２４は、スケジュール情報取得部２４１と、着信転送制御部２４２とを備えている。
スケジュール情報取得部２４１は、サーバ装置３との間で通信を行うことにより、サーバ装置３から各電話端末Ｔ１１〜Ｔ１ｉのユーザについてのスケジュール情報を取得する。このスケジュール情報は、例えば図３に示すように、時間帯、その時間帯の移動予定場所、その移動予定場所についての重要度、移動予定場所における連絡先とを表す情報である。なお、サーバ装置３には、各ユーザについての例えば１週間分あるいは１ヶ月分のスケジュール情報が管理されている。
【００３４】
着信転送制御部２４２は、着信発生時に、着信先となる電話端末Ｔ１１に対する着信制御が不可能な場合に、上記スケジュール情報取得部２４１に電話端末Ｔ１１のユーザについてのスケジュール情報をサーバ装置３から取得させ、通知された発信者情報に対応する重要度情報を発信者・重要度対応テーブル２５１から読み出すとともに、スケジュール情報中の該当する転送先に対応する重要度情報を転送先・重要度対応テーブル２５２から読み出し、これら重要度情報を比較する。そして、この比較結果から着信転送が許可されていると判定された場合に、その転送先となる電話端末Ｔ２１に対し着信制御を行う。
【００３５】
次に、以上のように構成されたシステムの種々動作について説明する。
（ユーザが会議中である場合の着信転送動作）
いま例えば図６に示すように、９時頃に外部の電話端末ＴＴ１において着信先を電話端末Ｔ１２（内線番号２００）に指定した発信が行なわれ、これに応じて公衆網ＮＷから着信電話番号を含む着信呼がルータＲＴに到来したとする。この場合主装置２は、ルータＲＴより通知された着信データから着信電話番号を抽出し、この着信電話番号に対応する着信先、電話端末Ｔ１２を判定し、電話端末Ｔ１２に対し着信データを送信して着信報知を行わせる。
【００３６】
しかしながら、このとき着信先の電話端末Ｔ１２のユーザが会議室に移動しているため、一定期間内に着信応答を行わなかったとする。そうすると主装置２は、サーバ装置３から電話端末Ｔ１２のユーザについてのスケジュール情報を取得し、このスケジュール情報に着信転送先が登録されているか否かを判定する。そして、例えば着信転送先が会議室の電話端末Ｔ２１であることが登録されている場合に、着信データに含まれる発信者情報「０１２−３４５−××××」に対応する重要度情報「高」を発信者・重要度対応テーブル２５１から読み出すとともに、転送先「３００」に対応する重要度情報「高」を転送先・重要度対応テーブル２５２から読み出し、これら重要度情報を比較して着信転送の許可、つまり追跡の許可の有無を判定する。
そして、追跡が許可されている場合に、主装置２は着信転送先の電話端末Ｔ２１に対し着信データを送信して着信報知を行わせる。
【００３７】
（ユーザが外出している場合の着信転送動作）
いま例えば図７に示すように、１５時以降に外部の電話端末ＴＴ１において着信先を電話端末Ｔ１２（内線番号２００）に指定した発信が行なわれ、これに応じて公衆網ＮＷから着信電話番号を含む着信呼がルータＲＴに到来したとする。この場合主装置２は、ルータＲＴより通知された着信データから着信電話番号を抽出し、この着信電話番号に対応する着信先、電話端末Ｔ１２を判定し、電話端末Ｔ１２に対し着信データを送信して着信報知を行わせる。
【００３８】
しかしながら、このとき着信先の電話端末Ｔ１２のユーザが外出しているため、一定期間内に着信応答を行わなかったとする。そうすると主装置２は、サーバ装置３から電話端末Ｔ１２のユーザについてのスケジュール情報を取得し、このスケジュール情報に着信転送先が登録されているか否かを判定する。そして、例えば着信転送先が携帯電話機ＭＳであることが登録されている場合に、着信データに含まれる発信者情報「０１２−３４５−××××」に対応する重要度情報「高」を発信者・重要度対応テーブル２５１から読み出すとともに、転送先「０９０−××××」に対応する重要度情報「中」を転送先・重要度対応テーブル２５２から読み出し、これら重要度情報を比較して着信転送の許可、つまり追跡の許可の有無を判定する。
【００３９】
そして、追跡が許可されている場合に、主装置２は、公衆網ＮＷ宛ての転送要求信号を生成してこの信号をＬＡＮ１及びルータＲＴを経由して公衆網ＮＷへ送信する。公衆網ＮＷは通信転送サービス機能を有しており、上記転送要求信号を受信するとこの通信転送サービス機能を起動する。そして、電話端末ＴＴ１との間の通信リンクを保持したまま転送先の携帯電話機ＭＳを呼び出し、この携帯電話機ＭＳが応答するとこの携帯電話機ＭＳと上記電話端末ＴＴ１との間を接続し、ルータＲＴとの間の通信リンクを切断する。
なお、一定時間内に携帯電話機ＭＳが着信応答を行わなかった場合、主装置２はボイスメール装置４に対し着信データを送信しボイスメッセージを録音させる。
【００４０】
（着信転送を行う際の主装置の制御部の処理動作）
図８は、主装置２の制御部２４の処理手順を説明するためのフローチャートである。
制御処理を開始すると、制御部２４は着信呼が到来するか否かを監視し、着信呼が到来すると（ステップＳＴ８ａ）、まず着信先となる例えば電話端末Ｔ１２に対し着信データを送信して着信報知を行わせ、ユーザが不在のため一定時間内に応答しなかった場合に（ステップＳＴ８ｂ）、着信先不在の旨のメッセージを音声または発信元の電話端末の表示器に表示させ（ガイダンス表示）（ステップＳＴ８ｃ）、発信元のユーザが着信転送指示入力を行うか否かの判断を行う（ステップＳＴ８ｄ）。ここで、発信元のユーザがオンフックしたりまたは一定期間内に着信転送指示入力を行わなければ（Ｎｏ）、制御部２４は処理をそのまま終了し、着信転送指示入力が行われた場合には（Ｙｅｓ）、制御部２４は転送先となる電話端末Ｔ１２に着信転送先登録がなされているか否かの判断を行う（ステップＳＴ８ｅ）。
【００４１】
そして、着信転送先登録がなされていなければ（Ｎｏ）、制御部２４はサーバ装置３に対し着信先の電話端末Ｔ１２のユーザについてのスケジュール情報の問い合わせを行い、この問い合わせによりスケジュール情報が得られた場合に（ステップＳＴ８ｆ）、発信元から通知される発信者情報に対応する重要度情報を発信者・重要度対応テーブル２５１から読み出すとともに、スケジュール情報中の転送先に対応する重要度情報を転送先・重要度対応テーブル２５２から読み出し、これら重要度情報を比較し（ステップＳＴ８ｇ）、これにより着信転送が許可されているか否かを判定する（ステップＳＴ８ｈ）。
【００４２】
ここで、例えば発信元の重要度が「高」で転送先の重要度が「高」、「中」、「低」のいずれかである場合に（Ｙｅｓ）、制御部２４は転送先となる例えば電話端末Ｔ２１に対し着信データを送信し着信報知を行わせる（ステップＳＴ８ｉ）。そして、一定時間内に着信応答があるか否かを判定し（ステップＳＴ８ｊ）、着信応答があった場合に（Ｙｅｓ）、例えば発信元の電話端末ＴＴ１と転送先の電話端末Ｔ２１との間を接続し、処理を終了する。
【００４３】
一方、上記ステップＳＴ８ｈにおいて、例えば発信元の重要度が「中」または「低」で転送先の重要度が「高」である場合のように着信転送が許可されていなかったり（Ｎｏ）、また上記ステップＳＴ８ｊにおいて転送先の電話端末Ｔ２１が一定時間内に着信応答を行わなかった場合には（Ｎｏ）、制御部２４はボイスメール装置４に対し着信データを送信し、発信元の電話端末ＴＴ１とボイスメール装置４との間を接続し、発信元からのボイスメッセージをボイスメール装置４に録音させる（ステップＳＴ８ｋ）。
【００４４】
また、上記ステップＳＴ８ｅにおいて、例えば着信先となる電話端末Ｔ１２にユーザが電話端末Ｔ１２にて着信転送先の登録設定を行っていたり、また移動先の電話端末Ｔ２１にて電話端末Ｔ１２宛ての着信呼を受けるべく指示入力（ログイン）を行っていた場合には（Ｙｅｓ）、制御部２４は上記ステップＳＴ８ｉの処理に移行する。
さらに、上記ステップＳＴ８ｄにおいて、発信元のユーザが着信転送指示を入力しなかった場合には、処理を終了する。
【００４５】
なお、上記処理において、上記ステップＳＴ８ｃにおけるガイダンス表示で発信元のユーザがボイスメール装置４に対するボイスメッセージの録音を要求したり、また上記ステップＳＴ８ｇにおいて発信者情報が通知されなかったり、またスケジュール情報中に転送先が登録されていない場合には、上記ステップＳＴ８ｋに移行して発信元からのボイスメッセージをボイスメール装置４に録音させる。
【００４６】
以上のように上記実施形態では、主装置２において、電話端末Ｔ１２宛ての着信呼が到来し、この電話端末Ｔ１２に対する着信が不可能な場合に、スケジュール情報取得部２４１にて該電話端末Ｔ１２のユーザについてのスケジュール情報、つまり一定期間内における移動予定の転送先情報リストをサーバ装置３から取得するようにしている。続いて着信転送制御部２４２にて発信元から通知される発信者情報に対応する重要度を発信者・重要度対応テーブル２５１から読み出すとともに、スケジュール情報中の転送先に対応する重要度を転送先・重要度対応テーブル２５２から読み出し、これら重要度をもとに着信転送の許可の有無を判定し、許可されている場合に転送先となる電話端末Ｔ２１に上記着信呼を着信させるようにしている。
【００４７】
従って、電話端末Ｔ１２のユーザが会議室で会議を行っている際に、重要度の高い特定の発信者からの着信呼が電話端末Ｔ１２に到来した場合に、この着信呼を会議室に設置された電話端末Ｔ２１に転送して着信させることができ、重要度の低い通常の発信者からの着信呼が電話端末Ｔ１２に到来した場合に、この着信呼をボイスメール装置４に転送することができる。これにより、電話端末Ｔ１２のユーザが移動するごとに転送設定を行う必要がなく、予め移動予定の転送先が分かっている場合に、その転送先をスケジュール情報に登録しておき、かつ発信者の重要度も登録しておくだけでよく、これにより発信者別の応対を効率良く行うことができ、ユーザの利便性が大幅に改善される。
【００４８】
また、上記実施形態では、主装置２おいて、各ユーザについてのスケジュール情報を管理するサーバ装置３との通信により、スケジュール情報を取得するようにしている。このため、スケジュール情報を記憶しておくためのメモリを設けることなく、多数の転送先情報を一度にサーバ装置３に登録しておくことができ、これにより主装置２が構成上大型化することなく、またコストアップも抑えることができる。
【００４９】
また、上記実施形態では、主装置２において、電話端末Ｔ１２宛ての着信呼が到来し、この電話端末Ｔ１２に対する着信が不可能な場合に、発信元となる電話端末ＴＴ１に対し着信先が不在の旨を表示器に表示させ、発信元のユーザの指示を待って転送先の電話端末Ｔ２１に対し着信転送を行うようにしている。このため、発信元のユーザは、現時点で転送先を呼び出す必要がない場合には呼び出さずに済む。
【００５０】
また、上記実施形態によれば、スケジュール上の移動先が急に自分の席から会議室に変更になった場合に、その移動先となる会議室の電話端末Ｔ２１にて電話端末Ｔ１２のユーザが電話端末Ｔ１２宛ての着信呼を受けるための指示入力を行うことで、スケジュール情報を更新することなく、電話端末Ｔ１２宛ての着信呼を電話端末Ｔ２１に転送して着信させることができる。また、電話端末Ｔ１２にて電話端末Ｔ２１に対する着信転送設定がなされた場合にも、同様にスケジュール情報を更新することなく、電話端末Ｔ１２宛ての着信呼を電話端末Ｔ２１に転送して着信させることができる。
【００５１】
また、上記実施形態によれば、不特定な発信者または発信者の重要度が転送先の重要度に比して低い発信者からの着信呼が電話端末Ｔ１２に到来し、電話端末Ｔ１２が着信不可能である場合に、この着信呼をボイスメール装置４に転送することにより、該発信者からのメッセージを残すことができる。また、休憩時間等のように明確な移動先が登録されていない場合や、転送先が登録されていない場合に、例えば電話端末Ｔ１２宛ての着信呼をボイスメール装置４に転送することにより、該発信者からのメッセージを残すこともできる。
【００５２】
また、上記実施形態では、移動先にて着信呼を受けるべく電話端末が電子メール送受信機能を備える携帯電話機ＭＳである場合に、ユーザによる選択指示設定に応じて自分の電話端末Ｔ１２に着信呼が到来した旨と発信者情報とを電子メールとして送信することもできる。このため、移動先において電話端末Ｔ１２のユーザが電話に出られない事情がある場合に、電話端末Ｔ１２に着信が到来した旨と発信者情報とを電子メールとして携帯電話機ＭＳに送信することで、ユーザは、出られる状況になった時点で、受信した電子メールに記載されている発信者情報をもとにコールバックを行うことができる。なお、上記携帯電話機ＭＳに限らず、電子メール送受信機能を備える例えば電話端末Ｔ１４である場合にも、同様に適用できる。
【００５３】
さらに、上記実施形態では、電話端末Ｔ１２宛ての着信呼が到来し、電話端末Ｔ１２に対する着信制御が不可能な場合に、該電話端末Ｔ１２のユーザによる選択指示に応じて、発信元のユーザに対し着信先が不在の旨のみを報知するようにすることもできる（グリーティング表示）。このため、電話端末Ｔ１２のユーザが長期不在となる場合に、発信元のユーザに対し着信先が不在の旨のみを報知することができ、また迷惑電話対策にも非常に有効となる。
【００５４】
なお、この発明は上記実施形態に限定されるものではない。例えば上記実施形態では、主装置の記憶部に発信者・重要度対応テーブル及び転送先・重要度対応テーブルを格納する例について説明した。しかしこれに限ることはなく、記憶部に発信者・重要度対応テーブルのみ格納するようにしてもよい。この場合、例えば顧客といった重要度の高い発信者からの着信呼及び重要度の低い発信者からの着信呼が同一時間帯に集中したとしても、重要度の高い発信者からの着信呼が優先的に転送先の電話端末に転送され、重要度の低い発信者からの着信呼がボイスメール装置に転送されることになるので、これにより複数の発信者からの着信呼が同一時間帯に集中したとしても、これに比較的柔軟に対応することができる。
【００５５】
また、上記実施形態では、主装置において、サーバ装置との通信によりスケジュール情報を取得する例について説明した。しかしこれに限ることなく、例えば主装置にセットされたディスクにスケジュール情報が記憶されている場合に、このディスクからスケジュール情報を読み出すようにしてもよい。
【００５６】
また、上記実施形態では、転送先・重要度対応テーブルに記憶されている重要度を利用する例について説明したが、スケジュール情報中に転送先に対応する重要度が含まれている場合に、その重要度を利用するようにしてもよい。
また、上記実施形態では、各電話端末を主装置に対しＬＡＮを介して接続したネットワーク電話システムに適用される場合を例にとって説明した。しかし、それに限るものではなく、例えば各電話端末をそれぞれ内線を介して主装置に接続する構内交換システムにも適用可能であることはもちろんのことである。この場合、主装置にサーバ装置と接続するためのインタフェースを内蔵しておく必要がある。
【００５７】
その他、主装置の種類や構成、電話端末の種類、着信転送を行う際の主装置の制御手順とその内容、重要度の内容やスケジュール情報の内容等についても、この発明の要旨を逸脱しない範囲で種々変形して実施できる。
【００５８】
【発明の効果】
以上詳述したようにこの発明によれば、着信転送をユーザによる手操作を要することなくユーザの移動先変更に柔軟に対応して行えるようにし、これによりユーザの利便性を高めることができ、かつ発信者別のきめ細かな着信転送を効率良く行い得る電話交換装置及び電話交換システムを提供することができる。
【図面の簡単な説明】
【図１】この発明に係わるネットワーク電話システムの一実施形態を示す概略構成図。
【図２】図１に示した主装置の構成を示すブロック図。
【図３】図１に示したサーバ装置で管理されているスケジュール情報の内容の一例を示す図。
【図４】図２に示した発信者・重要度対応テーブルの記憶内容の一例を示す図。
【図５】図２に示した転送先・重要度対応テーブルの記憶内容の一例を示す図。
【図６】図１に示したシステムにおけるユーザが会議中である場合の着信転送動作を説明するための図。
【図７】図１に示したシステムにおけるユーザが外出している場合の着信転送動作を説明するための図。
【図８】図２に示した主装置の制御部の処理手順を説明するためのフローチャート。
【符号の説明】
１…ＬＡＮ、２…主装置、３…サーバ装置、４…ボイスメール装置、２１…ボイスメールインタフェース（ＩＦ）部、２２…ＬＡＮインタフェース（ＩＦ）部、２３…音声処理部、２４…制御部、２５…記憶部、２６…データハイウェイ、２７…ＰＣＭハイウェイ、２４１…スケジュール情報取得部、２４２…着信転送制御部、２５１…発信者・重要度対応テーブル、２５２…転送先・重要度対応テーブル、Ｔ１１〜Ｔ１ｉ，Ｔ２１…電話端末、ＮＷ…公衆網、ＭＳ…携帯電話機、ＲＴ…ルータ。
【図１】
2004357217.tif 000003
【図２】
2004357217.tif 000004
【図３】
2004357217.tif 000005
【図４】
2004357217.tif 000006
【図５】
2004357217.tif 000007
【図６】
2004357217.tif 000008
【図７】
2004357217.tif 000009
【図８】
2004357217.tif 000010